(57)【特許請求の範囲】
【請求項１】
撮影光学系と、
上記撮影光学系を通過した被写体光束を透過及び反射させるメインミラーと、
上記メインミラーを反射した被写体光束が結像したスクリーンの観察像を、プリズムを
介してファインダ窓に導いて観察する観察光学系と、
上記メインミラーが撮影光路から退避した状態に於いて、上記被写体光束に基づき第１
の画像データを生成する第１の撮像手段と、
上記観察光学系の光軸から外れた上記プリズムの上下左右何れかの位置に設けられ、上
記メインミラーが撮影光路から退避しておらず、上記観察像が上記ファインダ窓に導かれ
ている状態に於いて、上記プリズムにより導かれた観察像に基づき第２の画像データを生
成する第２の撮像手段と、
上記第１の撮像手段若しくは第２の撮像手段により生成された画像データに基づいて被
写体像を表示する表示手段と、
上記第１の撮像手段の駆動制御を行うＣＰＵを含む特定用途向け集積回路からなる第１の制御手段と、
上記第２の撮像手段の駆動制御を行う上記ＣＰＵとは異なるＣＰＵを含む特定用途向け集積回路からなる第２の制御手段と、
を具備することを特徴とするデジタルカメラ。
【発明の詳細な説明】
【技術分野】
【０００１】
本発明はデジタルカメラに関し、より詳細には、観察中の画像と撮影中の画像とを表示画面に表示可能なデジタルカメラの改良に関するものである。
【背景技術】
【０００２】
従来より、撮影レンズ等の撮影光学系により結像される被写体像を、撮像素子によって光電変換し、これにより得られた画像信号に基づいて液晶モニタ等の画像表示装置に表示するカメラが一般的に知られている（例えば、特許文献１参照）。
また、複数の撮像素子を有する電子カメラ装置において、一方の撮像素子を静止画像の記録用として用い、他方の撮像素子を上述した液晶モニタ等への表示用として用いるようにしたものも知られている（例えば、特許文献２参照）。
【特許文献１】特開２００３−３３００８２号公報
【特許文献２】特開２００１−１１１８８０号公報
【発明の開示】
【発明が解決しようとする課題】
【０００３】
ところで、撮像素子によって繰り返し撮像を行い、ほぼリアルタイムの動画像を表示装置に表示する、いわゆるスルー画表示を行うカメラが近年開発されている。
【０００４】
しかしながら、上述した特許文献１に記載されているようなデジタル一眼レフカメラは、クイックリターンミラーをアップさせることでＣＣＤに撮像して撮像しているため、ミラーダウンの状態ではＣＣＤに撮像させることができない。したがって、スルー画（ほぼリアルタイムの動画像（ライブビュー画像））を表示装置に表示させることはできないものであった。
【０００５】
したがって、本発明の目的は、デジタル一眼レフタイプのカメラに於いて、２つの撮像素子を用いてスルー画表示を実現することのできるデジタルカメラを提供することである。
【課題を解決するための手段】
【０００６】
すなわち請求項１に記載の発明は、撮影光学系と、上記撮影光学系を通過した被写体光束を透過及び反射させるメインミラーと、上記メインミラーを反射した被写体光束が結像したスクリーンの観察像を、プリズムを介してファインダ窓に導いて観察する観察光学系と、上記メインミラーが撮影光路から退避した状態に於いて、上記被写体光束に基づき第１の画像データを生成する第１の撮像手段と、上記観察光学系の光軸から外れた上記プリズムの上下左右何れかの位置に設けられ、上記メインミラーが撮影光路から退避しておらず、上記観察像が上記ファインダ窓に導かれている状態に於いて、上記プリズムにより導かれた観察像に基づき第２の画像データを生成する第２の撮像手段と、上記第１の撮像手段若しくは第２の撮像手段により生成された画像データに基づいて被写体像を表示する表示手段と、上記第１の撮像手段の駆動制御を行うＣＰＵを含む特定用途向け集積回路からなる第１の制御手段と、上記第２の撮像手段の駆動制御を行う上記ＣＰＵとは異なるＣＰＵを含む特定用途向け集積回路からなる第２の制御手段と、を具備することを特徴とする。
【発明の効果】
【００１４】
本発明によれば、デジタル一眼レフタイプのカメラに於いて、２つの撮像素子を用いてスルー画表示を実現することのできるデジタルカメラを提供することができる。
【発明を実施するための最良の形態】
【００１５】
以下、図面を参照して、本発明の実施形態を説明する。
【００１６】
（第１の実施形態）
図１は、本発明の第１の実施形態を示すもので、一眼レフレックスタイプのデジタルカメラの構成を示す外観斜視図である。
【００１７】
図１に於いて、この一眼レフレックスタイプのデジタルカメラ（以下、カメラと略記する）１は、交換レンズとしてのレンズ鏡筒１０と、カメラ本体２０から主に構成されており、該カメラ本体２０の前面に対して、所望のレンズ鏡筒１０が着脱自在に設定されている。  
カメラ本体２０の上面には、レリーズ釦２１と、モードダイヤル２２と、パワースイッチレバー２３と、コントロールダイヤル２４等が設けられている。
【００１８】
レリーズ釦２１は、撮影準備動作及び露光動作を実行させるための釦である。このレリーズ釦２１は、第１レリーズスイッチと第２レリーズスイッチの２段式のスイッチで構成されており、レリーズ釦２１が半押し操作されることによって、第１レリーズスイッチがオンされて測光処理や測距処理などの撮影準備動作が実行される。また、レリーズ釦２１が全押し操作されることによって、第２レリーズスイッチがオンされて露光動作が実行される。
【００１９】
モードダイヤル２２は、撮影時の撮影モードを設定するための操作部材である。このモードダイヤル２２が所定方向に回転操作されることによって、撮影時の撮影モードが設定される。パワースイッチレバー２３は、当該カメラ１の電源のオン／オフをするための操作部材である。このパワースイッチレバー２３が回動操作されることにより、当該カメラ１のメイン電源のオン／オフが切り換えられる。
【００２０】
コントロールダイヤル２４は、撮影情報の設定を行うための部材である。このコントロールダイヤル２４が操作されることにより、撮影時に種々の設定が行われる。
【００２１】
ボディユニット２０の背面部には、撮影画像やメニュー等を表示するための液晶モニタ２６と、再生釦２７と、メニュー釦２８と、十字キー３０と、ＯＫ釦３１と、接眼光学系のファインダ３３等が配置されている。
【００２２】
上記再生釦２７は、カメラ１の動作モードを、後述するＳＤＲＡＭ６２や記録用のメディア６３に記録されたＪＰＥＧファイルから画像を再生できる再生モードに切り換えるための釦である。メニュー釦２８は、液晶モニタ２６にメニュー画面を表示させるための釦である。このメニュー画面は、複数の階層構造から成るメニュー項目によって構成されている。ユーザは、所望のメニュー項目を十字キー３０で選択することができ、ＯＫ釦３１で選択した項目を決定することができる。
【００２３】
図２は、本発明の第１の実施形態に係るカメラの概略的なシステム構成を示すブロック図である。
【００２４】
図２に於いて、被写体５からの光束は、レンズ鏡筒１０内の撮影レンズ１２を介して、上記カメラ本体２０内のメインミラー４０に導かれる。そして、このメインミラー４０で、図２に於いて上方に反射された光束は、ファインダ光学系を構成するプリズム４１に入射される。このプリズム４１に入射された光束は、一部が反射されて接眼レンズ４２に導かれて、撮影者の目によって視認される。また、プリズム４１に入射された光束のうち反射されずに透過された光束は、第２の撮像手段としてのスルー画用ＣＣＤ４３の撮像面上に結像される。このスルー画用ＣＣＤ４３で電気信号に変換されて生成された画像信号（第２の画像データ）は、アナログフロントエンド部（ＡＦＥ）４４に出力される。
【００２５】
上記ＡＦＥ４４は、スルー画用ＣＣＤ４３のデータのばらつきの調整等を行うと共に該ＣＣＤに対して撮像タイミングを供給するためのものである。そして、このＡＦＥ４４は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、以下ＡＳＩＣと略記する）５５ａの制御によって、スルー画用ＣＣＤ４３から得られた画像データを該ＡＳＩＣ５５ａに出力する。尚、後述するＡＦＥ５１の構成、機能も、ＡＦＥ４４と同様である。
【００２６】
このＡＳＩＣ５５ａは、第２の制御手段としての機能と周辺回路の制御部としての機能を併せ持つものである。この場合、ＡＳＩＣ５５ａは、ＡＦＥ４４、フラッシュメモリ（Ｆｌａｓｈ  Ｍｅｍｏｒｙ）５７ａ、ＴＦＴ液晶ドライバ５９、ＳＤＲＡＭ６２ａ等の制御を司るものである。
【００２７】
上記メインミラー４０は軸４０ａを中心に、図示矢印Ａ方向に回動可能に設けられているもので、その一部がハーフミラーで構成されている。メインミラー４０入射されてハーフミラーの部分を透過した光束は、撮影レンズ１２の光軸上で該メインミラー４０の後方（図２に於いて右側）に設けられているサブミラー４７によって反射され、ＡＦ／ＡＥセンサユニット４８に導かれる。このＡＦ／ＡＥセンサユニット４８は、カメラの自動測距及び測光を行うためのものである。
【００２８】
メインミラー４０は、被写体の観察時は図示されるように撮影光路内に位置しているが、撮影時は軸４０ａを中心に上方に回転して、図示されないが撮影光路より退避した位置に移動する。このとき、サブミラー４７は折りたたまれて、メインミラー４０と共に退避位置に移動する。すなわち、撮影時は、メインミラー４０及びサブミラー４７が退避位置にあるので、撮影レンズ１２を通った被写体５からの光束は、第１の撮像手段であるメイン（Ｍａｉｎ）ＣＣＤ５０の撮像面上に結像される。そして、このメインＣＣＤ５０で電気信号に変換されて生成された画像信号（第１の画像データ）は、アナログフロントエンド部（ＡＦＥ）５１を介して、後述するＡＳＩＣ５５ｂに出力される。
【００２９】
このＡＳＩＣ５５ｂは、第１の制御手段としての機能と周辺回路の制御部としての機能を併せ持つものである。この場合、ＡＳＩＣ５５ｂは、撮影レンズ１２、メインミラー４０、ＡＦ／ＡＥセンサユニット４８、ＡＦＥ５１、フラッシュメモリ５７ｂ、ＴＦＴ液晶ドライバ５９、ＳＤＲＡＭ６２ｂ、記録用メディア（Ｍｅｄｉａ）６３等の制御を司るものである。
【００３０】
ＡＳＩＣ５５ｂには、上述した撮影レンズ１２、メインミラー４０、ＡＦ／ＡＥセンサユニット４８、ＡＦＥ５１、フラッシュメモリ５７ｂ、ＴＦＴ液晶ドライバ５９を介して液晶モニタ（ＴＦＴ）２６、ＳＤＲＡＭ６２ｂ、記録用メディア６３の他、スイッチ（ＳＷ）部６４と、上述したＡＳＩＣ５５ａ等が接続されている。
【００３１】
上記撮影レンズ１２は、ＡＦ／ＡＥセンサユニット４８で得られた結果からＡＳＩＣ５５ｂ内で演算された駆動量に基づいて、光軸方向に移動される。また、メインミラー４０及びサブミラー４７は、ＡＳＩＣ５５ｂの制御によって、所定のタイミングで観察位置、退避位置に移動されるようになっている。
【００３２】
上記フラッシュメモリ５７ａ、５７ｂ、ＳＤＲＡＭ６２ａ、６２ｂ及び記録用メディア６３は、このカメラ１の記憶領域として設けられている。例えば、フラッシュメモリ５７ａ、５７ｂには、カメラを動作させるためのコードや、メニュー設定、調整データ等が記憶されている。また、ＳＤＲＡＭ６２ａ、６２ｂは、画像データの処理や一時保管用のバッファとして使用される。更に、記録用メディア６３は、図示されないカメラのインターフェイスを介してカメラ本体２０に対して脱着可能な各種のメモリカードや外付けのハードディスクドライブ（ＨＤＤ）等の外部記録媒体である。
【００３３】
ＴＦＴ液晶ドライバ５９は、液晶モニタ２６を駆動するためのものであり、ＡＳＩＣ５５ａまたは５５ｂの制御に従って、指定されたデータや画像を液晶モニタ２６に表示させる。
【００３４】
上記スイッチ部６４は、上述したレリーズ釦２１やメニュー釦２８、ＯＫ釦３１等の各種釦やスイッチから成っている。
【００３５】
図３は、図２に示されるＡＳＩＣ５５ａ及びその周辺部の構成を示したブロック構成図である。
【００３６】
ＡＳＩＣ５５ａ内には、メインのＣＰＵ７０ａを有している。このＣＰＵ７０ａには、入出力部（Ｇｌｏｂａｌ  Ｉｎｐｕｔ／Ｏｕｔｐｕｔ；ＧＩＯ）７１ａと、フラッシュメモリ５７ａに対応するフラッシュメモリインターフェイス（Ｆｌａｓｈ  Ｍｅｍｏｒｙ  Ｉｎｔｅｒｆａｃｅ；ＦＭＩ）７２ａとが接続されている。
【００３７】
ＣＣＤ  Ｂｌｏｃｋ（ＣＣＤブロック）４５は、ＡＳＩＣ５５ａ内のＣＰＵ７０ａから入出力部７１ａを介してタイミングが制御されるもので、このタイミングに従ってスルー画用ＣＣＤ４３からの出力画像データがＡＳＩＣ５５ａ内に取り込まれるようになっている。尚、ＣＣＤブロック４５は、図２に示されるスルー画用ＣＣＤ４３とＡＦＥ４４とで構成されるものである。
【００３８】
上記ＣＰＵ７０ａは、また、次の各部を制御する。すなわち、ＣＣＤインターフェイス（ＣＣＤＩ／Ｆ）８０ａと、プリプロセッサ（Ｐｒｅ  Ｐｒｏ）８１ａと、イメージプロセッサ（Ｉｍａｇｅ  Ｐｒｏｃｅｓｓｏｒ）８２ａと、ＪＰＥＧ回路８３ａと、メディアコントローラ（ＭｅｄｉａＣ）８５ａと、外部バス（ＥＸＴＢＵＳ）８８ａと、ＳＤＲＡＭコントローラ（ＳＤＲＡＭＣ）８９ａと、ビデオコントローラ（ＶｉｄｅｏＣ）９０ａとが、ＣＰＵ７０ａによって制御される。また、上記プリプロセッサ８１ａ、イメージプロセッサ８２ａ、ＪＰＥＧ回路８３ａ、メディアコントローラ８５ａ、外部バス８８ａ、ＳＤＲＡＭコントローラ８９ａ及びビデオコントローラ９０ａと、フラッシュメモリインターフェイス７２ａは、それぞれ内部バス７５ａによって接続されている。
【００３９】
上記ＣＣＤインターフェイス８０ａは、ＣＣＤブロック４５より供給される画像データを取り込むためのものである。プリプロセッサ８１ａは、ＣＣＤインターフェイス８０ａより供給される画像データの前処理、例えば欠陥の補正等を行うためのものである。イメージプロセッサ８２ａは、例えばホワイトバランスや画像のリサイズ等の画像処理を行うためのものである。ＪＰＥＧ回路８３ａでは、イメージプロセッサ８２ａと共に画像データのＪＰＥＧ化を行う。
【００４０】
メディアコントローラ８５ａは、図示されない記録用メディアの制御を行うためのものである。外部バス８８ａは、上述した撮影レンズ１２をはじめとするレンズや機構系の各部の駆動部１３の制御を行うためのものである。同様に、ＳＤＲＡＭコントローラ８９ａはＳＤＲＡＭ６２ａへのデータの制御を行い、ビデオコントローラ９０ａはＴＦＴ液晶ドライバ５９と液晶モニタ２６で構成されるＴＦＴブロック６０の駆動制御を行う。
【００４１】
図４は、図２に示されるＡＳＩＣ５５ｂ及びその周辺部の構成を示したブロック構成図である。
【００４２】
尚、図４に示されるＡＳＩＣ５５ｂの構成及び動作は、上述した図３に示されるＡＳＩＣ５５ａと基本的に同じであるので、同一の部分には同一の参照番号をａからｂに置き換えてその説明を省略し、異なる構成及び動作についてのみ説明するものとする。
【００４３】
ＣＣＤ  Ｂｌｏｃｋ（ＣＣＤブロック）５２は、ＡＳＩＣ５５ｂ内のＣＰＵ７０ｂから入出力部７１ｂを介してタイミングが制御されるもので、このタイミングに従ってメインＣＣＤ５０からの出力画像データがＡＳＩＣ５５ｂ内に取り込まれるようになっている。尚、ＣＣＤブロック５２は、図２に示されるメインＣＣＤ５０とＡＦＥ５１とで構成されるものである。
【００４４】
上記ＣＣＤインターフェイス８０ｂは、ＣＣＤブロック５２より供給される画像データを取り込むためのものである。メディアコントローラ８５ｂは、上述した記録用メディア６３の制御を行うためのものである。
【００４５】
このような構成に於いて、ＣＰＵ７０ａから入出力部７１ａを介して、ＣＣＤブロック４５にスルー画の撮像タイミングが出力される。そして、ＣＣＤブロック４５で取り込まれた画像が、ＣＣＤインターフェイス８０ａを経てＡＳＩＣ５５ａ内に取り込まれると、プリプロセッサ８１ａにて欠陥補正等の前処理が行われる。そして、ＳＤＲＡＭコントローラ８９ａを経てＳＤＲＡＭ６２ａに一旦格納される。次いで、ＳＤＲＡＭ６２ａから再度ＳＤＲＡＭコントローラ８９ａを経てイメージプロセッサ８２ａに転送されて、ここでＪＰＥＧ回路８３ａと共に所定の画像処理が行われる。その後、ＳＤＲＡＭコントローラ８９ａからＳＤＲＡＭ６２ａに格納される。
【００４６】
一方、ＣＰＵ７０ｂから入出力部７１ｂを介して、ＣＣＤブロック５２にメインＣＣＤの撮像タイミングが出力される。そして、ＣＣＤブロック５２（メインＣＣＤ５０）で取り込まれた画像が、ＣＣＤインターフェイス８０ｂを経てＡＳＩＣ５５ｂ内に取り込まれると、プリプロセッサ８１ｂにて前処理が行われる。そして、ＳＤＲＡＭコントローラ８９ｂを経てＳＤＲＡＭ６２ｂに一旦格納される。次いで、ＳＤＲＡＭ６２ｂから再度ＳＤＲＡＭコントローラ８９ｂを経てイメージプロセッサ８２ａに転送され、ここでＪＰＥＧ回路８３ｂと共に所定の画像処理が行われる。その後、ＳＤＲＡＭコントローラ８９ｂからＳＤＲＡＭ６２ｂに格納される。更に、このＳＤＲＡＭ６２ｂに格納された画像は、ＳＤＲＡＭコントローラ８９ｂ、内部バス７５ｂからメディアコントローラ８５ｂを介して、記録用メディア６３に書き込まれる。
【００４７】
また、イメージプロセッサ８２ｂで所定の画像処理が施された画像であるレックビュー（Ｒｅｃ．Ｖｉｅｗ）画像は、ビデオコントローラ９０ｂを介してＴＦＴブロック６０を構成する液晶モニタ２６に表示される。
【００４８】
尚、スルー画用ＣＣＤ４３で取り込まれた動画のデータを記録用メディア６３に書き込む場合には、ＡＳＩＣ５５ａからＡＳＩＣ５５ｂを経由して書き込まれることになる。しかしながら、ＡＳＩＣ５５ａから記録用メディア６３に直接動画データを送信するためのラインを設けることにより、ＡＳＩＣ５５ｂを経由せずに、ＡＳＩＣ５５ａから記録用メディア６３に、直接、動画データを書き込むことができる。このように構成すれば、より高速な処理を実現することができる。
【００４９】
次に、図５のフローチャートを参照して、本発明の第１の実施形態に於けるカメラのスルー画モードの動作を説明する。
【００５０】
図示されないカメラのメインルーチンから、このスルー画モードのルーチンに入ると、先ず、ステップＳ１に於いて、ＣＰＵ７０ａからの指示によってスルー画用ＣＣＤ４３の電源がオンされる。次いで、ステップＳ２にて、スルー画用ＣＣＤ４３を動作させるためのフレームレートがＣＰＵ７０ａにより初期設定される。ここでは、例えば、「３０フレーム／ｓｅｃ」に設定される。そして、ステップＳ３にて、ＣＰＵ７０ａによりスルー画表示の開始が指示される。
【００５１】
次に、ステップＳ４に於いて、ＣＰＵ７０ｂにより、レリーズ釦２１の第１レリーズスイッチ、すなわち２段式のレリーズスイッチの半押し状態が判定される。ここで、第１レリーズスイッチがオンされなければ、ステップＳ５に移行して、モード変更がなされたか否かがＣＰＵ７０ｂによって判定される。その結果、モード変更がなされていなければ上記ステップＳ４に移行して、再度第１レリーズスイッチの状態が判定される。一方、モード変更がなされた場合、すなわちスルー画モード以外のモードに変更された場合は、本ルーチンを抜けて、図示されないメインルーチンに復帰する。
【００５２】
上記ステップＳ４にて第１レリーズスイッチがオンされたならば、ステップＳ６に移行して、ＣＰＵ７０ｂからの指示によってメインＣＣＤ５０の電源がオンされる。そして、続くステップＳ７に於いて、ＡＦ／ＡＥセンサユニット４８及びＣＰＵ７０ｂによって、被写体５に対して測光及び露光演算が実行される。続いてステップＳ８では、ＡＦ／ＡＥセンサユニット４８、駆動部１３及びＣＰＵ７０ｂによって、測距及び焦点調節が実行される。このように、ステップＳ７及びＳ８では、ＣＰＵ７０ｂにより所定の演算処理（ＡＥ、ＡＦ）が実行される。
【００５３】
その後、ステップＳ９に於いて、ＣＰＵ７０ｂにより、レリーズ釦２１の第２レリーズスイッチ、すなわち２段式のレリーズスイッチの全押し状態が判定される。ここで、第２レリーズスイッチがオンされていなければ、ステップＳ１０に移行して第１レリーズスイッチの状態がＣＰＵ７０ｂにより判定される。その結果、第１レリーズスイッチがオンされていれば上記ステップＳ９に移行し、オンされていなければ上記ステップＳ４へ移行して、それぞれ以降の処理動作が行われる。
【００５４】
上記ステップＳ９にて第２レリーズスイッチがオンされていれば、ステップＳ１１に移行して、スルー画表示の終了がＣＰＵ７０ａによって指示される。その後、ステップＳ１２に移行して、ＣＰＵ７０ａからの指示によりスルー画用ＣＣＤ４３の電源がオフにされる。続いて、ステップＳ１３では、メインミラー４０が駆動部１３によって、撮影光路内から図示されない退避位置へ移動（ミラーアップ）されるようにＣＰＵ７０ｂにより指示される。次いで、ステップＳ１４にて、ＣＰＵ７０ｂによってメインＣＣＤ５０による撮像動作が実行される。撮像動作が終了すると、ステップＳ１５にて、退避位置に移動されていたメインミラー４０が、駆動部１３によって再び撮影光路内の観察位置に移動（ミラーダウン）されるように、ＣＰＵ７０ｂにより指示される。
【００５５】
ステップＳ１６では、上記ステップＳ１４でメインＣＣＤ５０に取り込まれた画像に対応する画像データを読み出すように、ＣＰＵ７０ｂにより指示される。更に、ステップＳ１７にて、ＣＰＵ７０ａからの指示によってスルー画用ＣＣＤ４３の電源がオンされる。そして、ステップＳ１８にて、ＣＰＵ７０ｂの指示によるメインＣＣＤ５０に取り込まれた画像に対応する画像データの読み出しが完了すると、続くステップＳ１９にて、ＪＰＥＧ圧縮等の所定の画像処理を行った後、上記画像データの記録用メディア６３への書き込み動作が開始されるように、ＣＰＵ７０ｂから指示される。また、それと同時に、液晶モニタ２６に撮影された画像が表示されるように、レックビューの処理が実行される。その後、上記ステップＳ２へ移行する。
【００５６】
このように、本実施形態によれば、スルー画用ＣＣＤ４３と撮影用のメインＣＣＤ５０にそれぞれ専用のＡＳＩＣ５５ａとＡＳＩＣ５５ｂを設け、それぞれのＣＣＤで取り込まれた画像を液晶モニタ２６に表示するようにしているので、デジタル一眼レフカメラに於いてもスルー画表示を実現することができる。
【００５７】
また、スルー画用ＣＣＤ４３と撮影用のメインＣＣＤ５０にそれぞれ専用のＡＳＩＣ５５ａとＡＳＩＣ５５ｂを設けているので、スルー画のシーケンスと撮影のシーケンスを独立して制御することができ、各ＣＰＵ７０ａ、７０ｂに高負荷をかけることなく処理を行うことができる。
【００５８】
尚、上述した第１の実施形態では、第１及び第２の撮像手段をＣＣＤで構成した例で説明したが、これに限られるものではなく、ＣＭＯＳ等の撮像素子で構成しても良いのは勿論である。
【００５９】
更に、上述した第１の実施形態では、ＡＦ／ＡＥをＡＦ／ＡＥセンサユニット４８で行っており、該センサの使用時にＡＳＩＣ５５ｂで演算を行い、結果のみをＡＳＩＣ５５ｂに転送するようにしている。しかしながら、ＡＦ／ＡＥに関しては、ＡＦ／ＡＥセンサ４８を使用せずにスルー画用ＣＣＤ４３を使用しても良い。
【００６０】
（第２の実施形態）
次に、本発明の第２の実施形態について説明する。
【００６１】
上述した第１の実施形態では、メインミラー４０によって反射された入射光束は、プリズム４１で反射された光束が接眼レンズ４２に、そして該プリズム４１を透過した美右側がスルー画用ＣＣＤ４３に、それぞれ導かれていたが、本発明はこれに限られるものではない。この第２の実施形態では、プリズムを経た入射光束は、ファインダ窓とスルー画用ＣＣＤのそれぞれに、殆ど減衰せずに導かれるようになっている。
【００６２】
図６は、本発明の第２の実施形態に係るカメラの概略的なシステム構成を示すブロック図である。
【００６３】
尚、この第２の実施形態に於けるカメラの基本的な構成については、図１乃至図５に示される第１の実施形態と同じであり、基本的な撮影動作についても同様である。したがって、これらの構成及び動作については、同一の部分には同一の参照番号を付して、その図示及び説明は省略するものとし、異なる部分の構成及び動作についてのみ説明する。
【００６４】
図６に於いて、メインミラー４０で上方に反射された撮像光束１００は、光学ファインダ部１０１を構成するスクリーン１０３を介してペンタプリズム１０４に入射される。このペンタプリズム１０４に入射された光束は、結像用レンズ１０５を介して第２の撮像手段としてのスルー画用ＣＣＤ（ライブビュー用ＣＣＤ）１０６の撮像面上に導かれると共に、接眼レンズ１０８、アイピースシャッタ１０９を介してファインダ窓１１０に導かれて撮影者の目によって視認される。上記スルー画用ＣＣＤ１０６で電気信号に変換されて生成された画像信号（第２の画像データ）は、アナログフロントエンド部（ＡＦＥ）４４に出力される。
【００６５】
尚、本実施形態では、スルー画モードが選択された状態を示しており、ファインダ窓１１０からの逆入射光を防ぐために設けられたアイピースシャッタ１０９によりファインダ窓１１０が覆われている。したがって、この場合光学ファインダは使用することができない。もちろん、アイピースシャッタを開放し、この光学ファィンダから被写体を観察しても良い。
【００６６】
このように構成することにより、スクリーン１０３で観察される被写体像は、常時、液晶モニタ２６に表示される。また、同時に、ＡＦ／ＡＥセンサユニット４８によるフォーカス動作が可能となる。更には、上述した第１の実施形態と異なって、スルー画用ＣＣＤ１０６に入射する光束は接眼レンズ１０８に到達する光束と同等であるので、明るく、ノイズが少ない画像を液晶モニタ２６に表示することが可能である。また、光学ファィンダも従来通り、明るく被写体を観察することができる。
【００６７】
以上、本発明の実施形態について説明したが、本発明は上述した実施形態以外にも、本発明の要旨を逸脱しない範囲で種々の変形実施が可能である。
【図面の簡単な説明】
【００６８】
【図１】本発明の第１の実施形態を示すもので、一眼レフレックスタイプのデジタルカメラの構成を示す外観斜視図である。
【図２】本発明の第１の実施形態に係るカメラの概略的なシステム構成を示すブロック図である。
【図３】図２に示されるＡＳＩＣ５５ａ及びその周辺部の構成を示したブロック構成図である。
【図４】図２に示されるＡＳＩＣ５５ｂ及びその周辺部の構成を示したブロック構成図である。
【図５】本発明の第１の実施形態に於けるカメラのスルー画モードの動作を説明するフローチャートである。
【図６】本発明の第２の実施形態に係るカメラの概略的なシステム構成を示すブロック図である。
【符号の説明】
【００６９】
１…カメラ、５…被写体、１０…レンズ鏡筒、１２…撮影レンズ、１３…駆動部、２１…レリーズ釦、２６…液晶モニタ、４０…メインミラー、４１…プリズム、４２…接眼レンズ、４３…スルー画用ＣＣＤ、４４、５１…アナログフロントエンド部（ＡＦＥ）、４５、５２…ＣＣＤブロック、４７…サブミラー、４８…ＡＦ／ＡＥセンサユニット、５０…メインＣＣＤ、５５ａ、５５ｂ…特定用途向け集積回路（ＡＳＩＣ）、５７ａ、５７ｂ…フラッシュメモリ、５９…ＴＦＴ液晶ドライバ、６０…ＴＦＴブロック、６２ａ、６２ｂ…ＳＤＲＡＭ、６３…記録用メディア（Ｍｅｄｉａ）、６４…スイッチ（ＳＷ）部、７０ａ、７０ｂ…ＣＰＵ、８２ａ、８２ｂ…イメージプロセッサ。
【図１】
0004798654.tif 000002
【図２】
0004798654.tif 000003
【図３】
0004798654.tif 000004
【図４】
0004798654.tif 000005
【図５】
0004798654.tif 000006
【図６】
0004798654.tif 000007